(57)【要約】      （修正有）【課題】所定方向にライン状に延びる一体感のある見栄えのレンズ体を備えた照明装置を提供する。【解決手段】光源１２からの光の一部が通過する開口又は光源からの光の一部が透過する光透過部が形成されたシェード１６と、レンズ体１４は、光源の前方に配置された第１レンズ部１４Ａ１と、第１レンズ部の前方に配置された第２レンズ部１４Ａ２を含む。第１レンズ部は、入射部１４ａ、及び、中間出射面１４Ａ１ａを含む。第２レンズ部は、中間入射面１４Ａ２ａ、及び、最終出射面１４Ａ２ｂを含む。第１レンズ部の入射部と中間出射面との間、かつ、第１レンズ部内部に入射した光源からの光の光路中には、光源からの光の一部が開口を通過し又は光透過部を透過する形態でシェードが挿入されるスリット１４Ａ１ｂが形成されている。【選択図】図２
2016054126.tif 000002
【特許請求の範囲】
【請求項１】
光源と、前記光源の前方に配置されたレンズ体と、を備えた照明装置において、
前記光源からの光の一部が通過する開口又は前記光源からの光の一部が透過する光透過部が形成されたシェードを備えており、
前記レンズ体は、前記光源の前方に配置された第１レンズ部、前記第１レンズ部の前方に配置された第２レンズ部を含み、
前記第１レンズ部は、前記光源からの光が前記第１レンズ部内部に入射する入射部、及び、前記第１レンズ部内部に入射した前記光源からの光が出射する中間出射面を含み、
前記第２レンズ部は、前記中間出射面から出射した前記光源からの光が前記第２レンズ部内部に入射する中間入射面、及び、前記第２レンズ部内部に入射した前記光源からの光が出射する最終出射面を含み、
前記第１レンズ部の前記入射部と前記中間出射面との間には、前記光源からの光の一部が前記開口を通過し又は前記光透過部を透過する形態で前記シェードが挿入されるスリットが形成されており、
前記中間出射面は、円柱軸が第１方向に延びる半円柱状の面として構成されており、
前記最終出射面は、円柱軸が前記第１方向に直交する第２方向に延びる半円柱状の面として構成されており、
前記中間出射面、前記中間入射面及び前記最終出射面は、焦点が前記スリットに挿入された前記シェードの前記開口又は前記光透過部近傍に位置する投影レンズを構成しており、
前記入射部、前記シェード、前記中間出射面、前記中間入射面及び前記最終出射面は、前記入射部から前記第１レンズ部内部に入射した前記光源からの光のうち前記開口を通過した光又は前記光透過部を透過した光が、前記中間出射面から前記第１レンズ部外部に出射し、さらに、前記中間入射面から前記第２レンズ部内部に入射して前記最終出射面から出射し、前方に照射されることにより、前記開口又は前記光透過部に形成される光度分布の反転像を形成する光学系を構成している照明装置。
【請求項２】
前記レンズ体は、前記第１レンズ部、前記第２レンズ部、及び、前記第１レンズ部と前記第２レンズ部とを連結した連結部を含み、
前記連結部は、前記第１レンズ部と前記第２レンズ部とを、前記中間出射面、前記中間入射面及び前記連結部で囲まれた空間が形成された状態で連結した請求項１に記載の照明装置。
【請求項３】
請求項１又は２に記載の照明装置を複数備えた照明装置において、
前記複数の照明装置の前記レンズ体は、前記第２方向に一列に配置された状態で一体的に成形されたレンズ結合体を構成しており、
前記複数の照明装置の前記レンズ体の前記最終出射面は、前記第２方向に一列に配置されて前記第２方向にライン状に延びた半円柱状の出射面群を構成している照明装置。
【請求項４】
光源と、前記光源の前方に配置されたシェードと、前記シェードの前方に配置されたレンズ体と、を備えた照明装置において、
前記シェードには、前記光源からの光の一部が通過する開口又は前記光源からの光の一部が透過する光透過部が形成されており、
前記レンズ体は、前記シェードの前方に配置された第１レンズ部、前記第１レンズ部の前方に配置された第２レンズ部を含み、
前記第１レンズ部の出射面は、円柱軸が第１方向に延びる半円柱状の面として構成されており、
前記第２レンズ部の出射面は、円柱軸が前記第１方向に直交する第２方向に延びる半円柱状の面として構成されており、
前記第１レンズ部及び前記第２レンズ部は、焦点が前記シェードの前記開口又は前記光透過部近傍に位置する投影レンズを構成しており、
前記シェード、前記第１レンズ部及び前記第２レンズ部は、前記開口を通過又は前記光透過部を透過した前記光源からの光が、前記第１レンズ部に入射して前記第１レンズ部の前記半円柱状の出射面から前記第１レンズ部外部に出射し、さらに、前記第２レンズ部内部に入射して前記半円柱状の出射面から出射し、前方に照射されることにより、前記開口又は前記光透過部に形成される光度分布の反転像を形成する光学系を構成している照明装置。
【請求項５】
光源と、前記光源の前方に配置されたレンズ体と、を備えた照明装置において、
前記光源からの光の一部が通過する開口又は前記光源からの光の一部が透過する光透過部が形成されたシェードを備えており、
前記レンズ体は、前記光源の前方に配置された第１レンズ部、前記第１レンズ部の前方に配置された第２レンズ部を含み、
前記第１レンズ部は、前記光源からの光が前記第１レンズ部内部に入射する入射部、及び、前記第１レンズ部内部に入射した前記光源からの光が出射する中間出射面を含み、
前記第２レンズ部は、前記中間出射面から出射した前記光源からの光が前記第２レンズ部内部に入射する中間入射面、及び、前記第２レンズ部内部に入射した前記光源からの光が出射する最終出射面を含み、
前記第１レンズ部の前記入射部と前記中間出射面との間、かつ、前記第１レンズ部内部に入射した前記光源からの光の光路中には、当該光源からの光の一部が前記開口を通過し又は前記光透過部を透過する形態で前記シェードが挿入されるスリットが形成されており、
前記最終出射面は、平面形状の面として構成されており、
前記第１中間出射面及び中間入射面のうち少なくとも一方は、前記最終出射面から出射する前記光源からの光が、コリメートされた光となるように、その面形状が構成されており、
前記中間出射面、前記中間入射面及び前記最終出射面は、焦点が前記スリットに挿入された前記シェードの前記開口又は前記光透過部近傍に位置する投影レンズを構成しており、
前記入射部、前記シェード、前記中間出射面、前記中間入射面及び前記最終出射面は、前記入射部から前記第１レンズ部内部に入射した前記光源からの光のうち前記開口を通過した光又は前記光透過部を透過した光が、前記中間出射面から前記第１レンズ部外部に出射し、さらに、前記中間入射面から前記第２レンズ部内部に入射して前記最終出射面から出射し、前方に照射されることにより、前記開口又は前記光透過部に形成される光度分布の反転像を形成する光学系を構成している照明装置。
【請求項６】
前記レンズ体は、前記第１レンズ部、前記第２レンズ部、及び、前記第１レンズ部と前記第２レンズ部とを連結した連結部を含み、
前記連結部は、前記第１レンズ部と前記第２レンズ部とを、前記中間出射面、前記中間入射面及び前記連結部で囲まれた空間が形成された状態で連結した請求項５に記載の照明装置。
【請求項７】
請求項５又は６に記載の照明装置を複数備えた照明装置において、
前記複数の照明装置の前記レンズ体は、一の方向に一列に配置された状態で一体的に成形されたレンズ結合体を構成しており、
前記複数の照明装置の前記レンズ体の前記最終出射面は、前記一の方向に一列に配置されて前記一の方向にライン状に延びた平面形状の出射面群を構成している照明装置。
【請求項８】
光源と、前記光源の前方に配置されたシェードと、前記シェードの前方に配置されたレンズ体と、を備えた照明装置において、
前記シェードには、前記光源からの光の一部が通過する開口又は前記光源からの光の一部が透過する光透過部が形成されており、
前記レンズ体は、前記シェードの前方に配置された第１レンズ部、前記第１レンズ部の前方に配置された第２レンズ部を含み、
前記第１レンズ部の出射面は、円柱軸が第１方向に延びる半円柱状の面として構成されており、
前記第２レンズ部の出射面は、円柱軸が前記第１方向に直交する第２方向に延びる半円柱状の面として構成されており、
前記第１レンズ部及び前記第２レンズ部は、焦点が前記シェードの前記開口又は前記光透過部近傍に位置する投影レンズを構成しており、
前記シェード、前記第１レンズ部及び前記第２レンズ部は、前記開口を通過又は前記光透過部を透過した前記光源からの光が、前記第１レンズ部に入射して前記第１レンズ部の前記半円柱状の出射面から前記第１レンズ部外部に出射し、さらに、前記第２レンズ部内部に入射して前記半円柱状の出射面から出射し、前方に照射されることにより、前記開口又は前記光透過部に形成される光度分布の反転像を形成する光学系を構成している照明装置。
【発明の詳細な説明】
【技術分野】
【０００１】
本発明は、照明装置に係り、特に、光源とレンズ体とを備えた照明装置に関する。
【背景技術】
【０００２】
従来、光源と、光源の前方に配置された液晶パネル等の表示装置と、表示装置の前方に配置された凸レンズと、を備えた照明装置が提案されている（例えば、特許文献１参照）。
【０００３】
図２５は、特許文献１に記載の照明装置２００の概略構成図である。
【０００４】
図２５に示すように、特許文献１に記載の照明装置２００は、放電ランプ等の光源２１０、光源２１０からの光を反射する反射鏡２２０、光源２１０の前方かつ反射鏡２２０で反射された光源２１０からの光が透過する位置に配置された液晶パネル等の表示装置２３０、表示装置２３０の前方に配置された凸レンズ２４０を備えている。
【０００５】
上記構成の照明装置２００においては、反射鏡２２０で反射された光源２１０からの光が表示装置２３０（液晶パネル）及び凸レンズ２４０をこの順に透過して前方に照射されることにより、表示装置２３０に表示される画像の反転像Ｉがスクリーン上に形成される。
【先行技術文献】
【特許文献】
【０００６】
【特許文献１】特開２００１−６７９０２号公報
【発明の概要】
【発明が解決しようとする課題】
【０００７】
しかしながら、上記構成の照明装置２００においては、凸レンズ２４０の最終的な出射面である凸レンズ面２４２が半球状のレンズ面として構成されている結果、図２６に示すように、複数の照明装置２００（複数の凸レンズ２４０）を一列に配置しても、点が連続する外観となり、所定方向にライン状に延びる一体感のある見栄えの照明装置を構成することができない（デザイン自由度が乏しい）という問題がある。
【０００８】
本発明は、このような事情に鑑みてなされたものであり、所定方向にライン状に延びる一体感のある見栄えのレンズ体を備えた照明装置を提供することを目的とする。
【課題を解決するための手段】
【０００９】
上記目的を達成するため、請求項１に記載の発明は、光源と、前記光源の前方に配置されたレンズ体と、を備えた照明装置において、前記光源からの光の一部が通過する開口又は前記光源からの光の一部が透過する光透過部が形成されたシェードを備えており、前記レンズ体は、前記光源の前方に配置された第１レンズ部、前記第１レンズ部の前方に配置された第２レンズ部を含み、前記第１レンズ部は、前記光源からの光が前記第１レンズ部内部に入射する入射部、及び、前記第１レンズ部内部に入射した前記光源からの光が出射する中間出射面を含み、前記第２レンズ部は、前記中間出射面から出射した前記光源からの光が前記第２レンズ部内部に入射する中間入射面、及び、前記第２レンズ部内部に入射した前記光源からの光が出射する最終出射面を含み、前記第１レンズ部の前記入射部と前記中間出射面との間には、前記光源からの光の一部が前記開口を通過し又は前記光透過部を透過する形態で前記シェードが挿入されるスリットが形成されており、前記中間出射面は、円柱軸が第１方向に延びる半円柱状の面として構成されており、前記最終出射面は、円柱軸が前記第１方向に直交する第２方向に延びる半円柱状の面として構成されており、前記中間出射面、前記中間入射面及び前記最終出射面は、焦点が前記スリットに挿入された前記シェードの前記開口又は前記光透過部近傍に位置する投影レンズを構成しており、前記入射部、前記シェード、前記中間出射面、前記中間入射面及び前記最終出射面は、前記入射部から前記第１レンズ部内部に入射した前記光源からの光のうち前記開口を通過した光又は前記光透過部を透過した光が、前記中間出射面から前記第１レンズ部外部に出射し、さらに、前記中間入射面から前記第２レンズ部内部に入射して前記最終出射面から出射し、前方に照射されることにより、前記開口又は前記光透過部に形成される光度分布の反転像を形成する光学系を構成していることを特徴とする。
【００１０】
請求項１に記載の発明によれば、第１に、所定方向にライン状に延びる一体感のある見栄えのレンズ体を備えた照明装置を提供することができる。第２に、最終出射面が半円柱状の面であるにもかかわらず、任意の形状の反転像を、任意の場所に形成（投影）することができる照明装置を提供することができる。
【００１１】
所定方向にライン状に延びる一体感のある見栄えとすることができるのは、最終出射面が半円柱状の面として構成されていることによるものである。
【００１２】
任意の形状の反転像は、光源からの光の一部が通過する開口（又は光源からの光の一部が透過する光透過部）を任意の形状とすることで達成される。
【００１３】
任意の場所への形成（投影）は、光源からの光の一部が通過する開口（又は光源からの光の一部が透過する光透過部）と投影レンズの焦点との位置関係を調整することで達成される。
【００１４】
請求項２に記載の発明は、請求項１に記載の発明において、前記レンズ体は、前記第１レンズ部、前記第２レンズ部、及び、前記第１レンズ部と前記第２レンズ部とを連結した連結部を含み、前記連結部は、前記第１レンズ部と前記第２レンズ部とを、前記中間出射面、前記中間入射面及び前記連結部で囲まれた空間が形成された状態で連結したことを特徴とする。
【００１５】
請求項２に記載の発明によれば、第１レンズ部と第２レンズ部とが連結されたレンズ体を備えた照明装置を提供することができる。
【００１６】
請求項３に記載の発明は、請求項１又は２に記載の照明装置を複数備えた照明装置において、前記複数の照明装置の前記レンズ体は、前記第２方向に一列に配置された状態で一体的に成形されたレンズ結合体を構成しており、前記複数の照明装置の前記レンズ体の前記最終出射面は、前記第２方向に一列に配置されて前記第２方向にライン状に延びた半円柱状の出射面群を構成していることを特徴とする。
【００１７】
請求項３に記載の発明によれば、レンズ結合体の最終出射面が所定方向に延びた半円柱状の面となる結果、所定方向にライン状に延びる一体感のある見栄えのレンズ結合体を備えた照明装置を提供することができる。
【００１８】
請求項４に記載の発明は、光源と、前記光源の前方に配置されたシェードと、前記シェードの前方に配置されたレンズ体と、を備えた照明装置において、前記シェードには、前記光源からの光の一部が通過する開口又は前記光源からの光の一部が透過する光透過部が形成されており、前記レンズ体は、前記シェードの前方に配置された第１レンズ部、前記第１レンズ部の前方に配置された第２レンズ部を含み、前記第１レンズ部の出射面は、円柱軸が第１方向に延びる半円柱状の面として構成されており、前記第２レンズ部の出射面は、円柱軸が前記第１方向に直交する第２方向に延びる半円柱状の面として構成されており、前記第１レンズ部及び前記第２レンズ部は、焦点が前記シェードの前記開口又は前記光透過部近傍に位置する投影レンズを構成しており、前記シェード、前記第１レンズ部及び前記第２レンズ部は、前記開口を通過又は前記光透過部を透過した前記光源からの光が、前記第１レンズ部に入射して前記第１レンズ部の前記半円柱状の出射面から前記第１レンズ部外部に出射し、さらに、前記第２レンズ部内部に入射して前記半円柱状の出射面から出射し、前方に照射されることにより、前記開口又は前記光透過部に形成される光度分布の反転像を形成する光学系を構成していることを特徴とする。
【００１９】
請求項４に記載の発明によれば、第１に、所定方向にライン状に延びる一体感のある見栄えのレンズ体を備えた照明装置を提供することができる。第２に、最終出射面が半円柱状の面であるにもかかわらず、任意の形状の反転像を、任意の場所に形成（投影）することができる照明装置を提供することができる。
【００２０】
所定方向にライン状に延びる一体感のある見栄えとすることができるのは、最終出射面が半円柱状の面として構成されていることによるものである。
【００２１】
任意の形状の反転像は、光源からの光の一部が通過する開口（又は光源からの光の一部が透過する光透過部）を任意の形状とすることで達成される。
【００２２】
任意の場所への形成（投影）は、光源からの光の一部が通過する開口（又は光源からの光の一部が透過する光透過部）と投影レンズの焦点との位置関係を調整することで達成される。
【００２３】
請求項５に記載の発明は、光源と、前記光源の前方に配置されたレンズ体と、を備えた照明装置において、前記光源からの光の一部が通過する開口又は前記光源からの光の一部が透過する光透過部が形成されたシェードを備えており、前記レンズ体は、前記光源の前方に配置された第１レンズ部、前記第１レンズ部の前方に配置された第２レンズ部を含み、前記第１レンズ部は、前記光源からの光が前記第１レンズ部内部に入射する入射部、及び、前記第１レンズ部内部に入射した前記光源からの光が出射する中間出射面を含み、前記第２レンズ部は、前記中間出射面から出射した前記光源からの光が前記第２レンズ部内部に入射する中間入射面、及び、前記第２レンズ部内部に入射した前記光源からの光が出射する最終出射面を含み、前記第１レンズ部の前記入射部と前記中間出射面との間、かつ、前記第１レンズ部内部に入射した前記光源からの光の光路中には、当該光源からの光の一部が前記開口を通過し又は前記光透過部を透過する形態で前記シェードが挿入されるスリットが形成されており、前記最終出射面は、平面形状の面として構成されており、前記第１中間出射面及び中間入射面のうち少なくとも一方は、前記最終出射面から出射する前記光源からの光が、コリメートされた光となるように、その面形状が構成されており、前記中間出射面、前記中間入射面及び前記最終出射面は、焦点が前記スリットに挿入された前記シェードの前記開口又は前記光透過部近傍に位置する投影レンズを構成しており、前記入射部、前記シェード、前記中間出射面、前記中間入射面及び前記最終出射面は、前記入射部から前記第１レンズ部内部に入射した前記光源からの光のうち前記開口を通過した光又は前記光透過部を透過した光が、前記中間出射面から前記第１レンズ部外部に出射し、さらに、前記中間入射面から前記第２レンズ部内部に入射して前記最終出射面から出射し、前方に照射されることにより、前記開口又は前記光透過部に形成される光度分布の反転像を形成する光学系を構成していることを特徴とする。
【００２４】
請求項５に記載の発明によれば、第１に、所定方向にライン状に延びる一体感のある見栄えのレンズ体を備えた照明装置を提供することができる。第２に、最終出射面が平面形状の面であるにもかかわらず、任意の形状の反転像を、任意の場所に形成（投影）することができる照明装置を提供することができる。
【００２５】
所定方向にライン状に延びる一体感のある見栄えとすることができるのは、最終出射面が平面形状の面として構成されていることによるものである。
【００２６】
任意の形状の反転像は、光源からの光の一部が通過する開口（又は光源からの光の一部が透過する光透過部）を任意の形状とすることで達成される。
【００２７】
任意の場所への形成（投影）は、光源からの光の一部が通過する開口（又は光源からの光の一部が透過する光透過部）と投影レンズの焦点との位置関係を調整することで達成される。
【００２８】
請求項６に記載の発明は、請求項５に記載の発明において、前記レンズ体は、前記第１レンズ部、前記第２レンズ部、及び、前記第１レンズ部と前記第２レンズ部とを連結した連結部を含み、前記連結部は、前記第１レンズ部と前記第２レンズ部とを、前記中間出射面、前記中間入射面及び前記連結部で囲まれた空間が形成された状態で連結したことを特徴とする。
【００２９】
請求項６に記載の発明によれば、第１レンズ部と第２レンズ部とが連結されたレンズ体を備えた照明装置を提供することができる。
【００３０】
請求項７に記載の発明は、請求項５又は６に記載の照明装置を複数備えた照明装置において、前記複数の照明装置の前記レンズ体は、一の方向に一列に配置された状態で一体的に成形されたレンズ結合体を構成しており、前記複数の照明装置の前記レンズ体の前記最終出射面は、前記一の方向に一列に配置されて前記一の方向にライン状に延びた平面形状の出射面群を構成していることを特徴とする。
【００３１】
請求項７に記載の発明によれば、レンズ結合体の最終出射面が所定方向に延びた平面形状の面となる結果、所定方向にライン状に延びる一体感のある見栄えのレンズ結合体を備えた照明装置を提供することができる。
【００３２】
請求項８に記載の発明は、光源と、前記光源の前方に配置されたシェードと、前記シェードの前方に配置されたレンズ体と、を備えた照明装置において、前記シェードには、前記光源からの光の一部が通過する開口又は前記光源からの光の一部が透過する光透過部が形成されており、前記レンズ体は、前記シェードの前方に配置された第１レンズ部、前記第１レンズ部の前方に配置された第２レンズ部を含み、前記第１レンズ部の出射面は、円柱軸が第１方向に延びる半円柱状の面として構成されており、前記第２レンズ部の出射面は、円柱軸が前記第１方向に直交する第２方向に延びる半円柱状の面として構成されており、前記第１レンズ部及び前記第２レンズ部は、焦点が前記シェードの前記開口又は前記光透過部近傍に位置する投影レンズを構成しており、前記シェード、前記第１レンズ部及び前記第２レンズ部は、前記開口を通過又は前記光透過部を透過した前記光源からの光が、前記第１レンズ部に入射して前記第１レンズ部の前記半円柱状の出射面から前記第１レンズ部外部に出射し、さらに、前記第２レンズ部内部に入射して前記半円柱状の出射面から出射し、前方に照射されることにより、前記開口又は前記光透過部に形成される光度分布の反転像を形成する光学系を構成していることを特徴とする。
【００３３】
請求項８に記載の発明によれば、第１に、所定方向にライン状に延びる一体感のある見栄えのレンズ体を備えた照明装置を提供することができる。第２に、最終出射面が平面形状の面であるにもかかわらず、任意の形状の反転像を、任意の場所に形成（投影）することができる照明装置を提供することができる。
【００３４】
所定方向にライン状に延びる一体感のある見栄えとすることができるのは、最終出射面が平面形状の面として構成されていることによるものである。
【００３５】
任意の形状の反転像は、光源からの光の一部が通過する開口（又は光源からの光の一部が透過する光透過部）を任意の形状とすることで達成される。
【００３６】
任意の場所への形成（投影）は、光源からの光の一部が通過する開口（又は光源からの光の一部が透過する光透過部）と投影レンズの焦点との位置関係を調整することで達成される。
【発明の効果】
【００３７】
本発明によれば、所定方向にライン状に延びる一体感のある見栄えのレンズ体を備えた照明装置を提供することが可能となる。
【図面の簡単な説明】
【００３８】
【図１】本発明の第１実施形態の照明装置１０（レンズ体１４）の斜視図である。
【図２】（ａ）、（ｂ）第１実施形態の照明装置１０（レンズ体１４）の縦断面図である。
【図３】光源１２からの光がレンズ体１４内部を進行する様子を表す図である。
【図４】入射部１４ａの変形例である入射部１４ｂの例である。
【図５】（ａ）シェード１６に形成される開口１６ｃの例、（ｂ）シェード１６に形成される開口１６ｃの他の例、（ｃ）シェード１６に形成される光透過部１６ｄの例、（ｄ）シェード１６に把持部材２０を取り付けた例である。
【図６】（ａ）図２（ａ）に示す照明装置１０のＡ−Ａ断面図、（ｂ）図２（ｂ）に示す照明装置１０のＢ−Ｂ断面図である。
【図７】（ａ）シェード１６の例、（ｂ）シェード１６の他の例である。
【図８】照明装置１０によって形成（投影）された反転像の例である。
【図９】第１実施形態の照明装置１０（レンズ体１４）の変形例である照明装置１０Ｂ（レンズ体１４Ｂ）の縦断面図である。
【図１０】第２実施形態の照明装置１０Ｃの斜視図である。
【図１１】保持部材２８に取り付けられた照明装置１０Ｃの例である。
【図１２】１つの照明装置１０Ｃ1及び２つの照明装置１０Ｃ2を天井に取り付けた例である。
【図１３】単一のシェード２６の変形例を説明するための図である。
【図１４】第３実施形態の照明装置１０Ｅの斜視図（概略図）である。
【図１５】（ａ）照明装置１０Ｅの側面図（概略図）、（ｂ）上面図（概略図）である。
【図１６】第３レンズ部３２の変形例を説明するための図である。
【図１７】第３レンズ部３２の変形例を説明するための図である。
【図１８】第３実施形態の照明装置１０Ｅの変形例である照明装置１０Ｆの縦断面図である。
【図１９】第４実施形態の照明装置１０Ｇの斜視図（概略図）である。
【図２０】スリット１４Ａ１ｂ（又は単一のスリット２４等）に挿入されるシェード１６（又は単一のシェード２６）等に代えて、液晶パネルや有機ＥＬパネル等の画像表示装置を用いた場合に形成される反転像の例である。
【図２１】レンズ体１４（変形例）の縦断面図である。
【図２２】図２（ａ）に示すレンズ体１４（変形例）のＡ−Ａ断面図である。
【図２３】第２実施形態の照明装置１０Ｃの変形例である照明装置１０Ｄの斜視図である。
【図２４】照明装置１０Ｅ（変形例）の縦断面図である。
【図２５】特許文献１に記載の照明装置２００の概略構成図である。
【図２６】複数の照明装置２００（複数の凸レンズ２４０）を一列に配置した様子を表す上面図である。
【発明を実施するための形態】
【００３９】
以下、本発明の第１実施形態である照明装置について、図面を参照しながら説明する。
【００４０】
図１は本発明の第１実施形態の照明装置１０（レンズ体１４）の斜視図、図２（ａ）、図２（ｂ）は縦断面図である。
【００４１】
図１、図２に示すように、本実施形態の照明装置１０は、光源１２、光源１２の前方に配置されたレンズ体１４、シェード１６等を備えている。
【００４２】
光源１２は、例えば、図２（ａ）に示すように、金属製の基板Ｋの表面に実装された白色ＬＥＤ光源等の半導体発光素子である。もちろん、これに限らず、光源１２は、白色ＬＥＤ光源以外の例えば、赤色ＬＥＤ光源、緑色ＬＥＤ光源、青色ＬＥＤ光源であってもよいし、白色ＬＤ光源等であってもよいし、それ以外の光源であってもよい。白色ＬＥＤ光源等の個数は、１以上であればよい。
【００４３】
光源１２は、その発光面を前方に向けた姿勢でレンズ体１４の光学設計上の基準点Ｆ14近傍に配置されている。光源１２の光軸ＡＸ12は、図２（ａ）に示すように、基準軸ＡＸに一致している。もちろん、これに限らず、光源１２の光軸ＡＸ12は、基準軸ＡＸに対して傾斜していてもよい。
【００４４】
光源１２が半導体発光素子（例えば白色ＬＥＤ光源）である場合、当該光源１２（発光面）から放出される光の指向特性はランバーシアンで、Ｉ（θ）＝Ｉ0×cosθで表すことができる。これは、光源１２が放出する光の広がりを表している。但し、Ｉ（θ）は光源１２の光軸ＡＸ12から角度θ傾いた方向の光度を表し、Ｉ0は光軸ＡＸ12上の光度を表している。光源１２では、光軸ＡＸ12上（θ＝０）の光度が最大となる。
【００４５】
図２に示すように、レンズ体１４は、光源１２の前方に配置された第１レンズ部１４Ａ１、第１レンズ部１４Ａ１の前方に配置された第２レンズ部１４Ａ２、及び、第１レンズ部１４Ａ１と第２レンズ部１４Ａ２とを連結した連結部１４Ａ３を含んでいる。
【００４６】
レンズ体１４は、金型に、ポリカーボネイトやアクリル等の透明樹脂を注入し、冷却、固化させることにより（射出成形により）一体的に成形されている。もちろん、これに限らず、レンズ体１４は、ガラス製であってもよい。
【００４７】
第１レンズ部１４Ａ１の後端部は、光源１２からの光が第１レンズ部１４Ａ１内部に入射する入射部１４ａを含んでいる。
【００４８】
入射部１４ａは、例えば、図２（ａ）に示すように、光源１２に向かって凸の入射面１４ａ１を含んでいる。この入射面１４ａ１は、図３に示すように、当該入射面１４ａ１から第１レンズ部１４Ａ１内部に入射した光源１２からの光が、シェード１６（これに形成された開口１６ｃ又は光透過部１６ｄ（図５（ｃ）参照））近傍に集光するように、その面形状が構成されている。もちろん、これに限らず、入射面１４ａ１は、第１レンズ部１４Ａ１内部に入射した光源１２からの光が、コリメートされるように（つまり、基準軸ＡＸに対して平行な光となるように）、その面形状が構成されていてもよい。なお、開口１６ｃ及び光透過部１６ｄについては後に詳述する。
【００４９】
もちろん、これに限らず、第１レンズ部１４Ａ１の後端部は、図４に示すように、光源１２からの光が第１レンズ部１４Ａ１内部に入射する入射部１４ｂ、及び、入射部１４ｂから第１レンズ部１４Ａ１内部に入射した光源１２からの光を内面反射（全反射）する反射面１４ｂ３を含んでいてもよい。
【００５０】
入射部１４ｂは、光源１２に向かって凸の第１入射面１４ｂ１、第１入射面１４ｂ１の外周縁から後方に向かって延びて、光源１２と第１入射面１４ｂ１との間の空間を取り囲む筒状の第２入射面１４ｂ２を含んでいる。
【００５１】
反射面１４ｂ３は、第２入射面１４ｂ２の外側に配置され、第２入射面１４ｂ２から第１レンズ部１４Ａ１内部に入射した光源１２からの光を内面反射（全反射）する反射面である。
【００５２】
具体的には、第１入射面１４ｂ１は、当該第１入射面１４ｂ１から第１レンズ部１４Ａ１内部に入射した光源１２からの光が、シェード１６（これに形成された開口１６ｃ又は光透過部１６ｄ）近傍に集光するように、その面形状が構成されている。もちろん、これに限らず、第１入射面１４ｂ１は、当該第１入射面１４ｂ１から第１レンズ部１４Ａ１内部に入射した光源１２からの光が、コリメートされるように、その面形状が構成されていてもよい。
【００５３】
同様に、反射面１４ｂ３は、第２入射面１４ｂ２から第１レンズ部１４Ａ１内部に入射して当該反射面１４ｂ３で内面反射（全反射）された光源１２からの光が、シェード１６（これに形成された開口１６ｃ又は光透過部１６ｄ）近傍に集光するように、その面形状が構成されている。もちろん、これに限らず、反射面１４ｂ３は、当該反射面１４ｂ３で内面反射された光源１２からの光が、コリメートされるように、その面形状が構成されていてもよい。
【００５４】
なお、シェード１６に形成された開口１６ｃ又は光透過部１６ｄが１つの場合、第１レンズ部１４Ａ１内部に入射した光源１２からの光が当該開口１６ｃ又は光透過部１６ｄ近傍に集光するように構成された入射部１４ａ（又は入射部１４ｂ）を用いるのが望ましい。このようにすれば、１つの開口１６ｃ又は光透過部１６ｄを通過又は透過する光源１２からの光が増加するため、床面等に投影される反転像がより明るくなるからである。
【００５５】
一方、シェード１６に形成された開口１６ｃ又は光透過部１６ｄが複数の場合、第１レンズ部１４Ａ１内部に入射した光源１２からの光がコリメートされるように構成された入射部１４ａ（又は入射部１４ｂ）を用いるのが望ましい。このようにすれば、複数の開口１６ｃ又は光透過部１６ｄを通過又は透過する光源１２からの光が略均等となるため、床面等に投影される反転像が略均等に明るくなるからである。
【００５６】
第１レンズ部１４Ａ１の前端部は、第１レンズ部１４Ａ１内部に入射した光源１２からの光が出射する中間出射面１４Ａ１ａを含んでいる。中間出射面１４Ａ１ａは、円柱軸が第１方向（図２（ａ）中上下方向）に延びる前方に向かって凸の半円柱状の面（シリンドリカル面）として構成されている。
【００５７】
第２レンズ部１４Ａ２の後端部は、中間出射面１４Ａ１ａから出射した光源１２からの光が第２レンズ部１４Ａ２内部に入射する中間入射面１４Ａ２ａを含んでいる。中間入射面１２Ａ２ａは、基準軸ＡＸに直交する平面形状（又は曲面形状）の面として構成されている。
【００５８】
第２レンズ部１４Ａ２の前端部は、第２レンズ部１４Ａ２内部に入射した光源１２からの光が出射する最終出射面１４Ａ２ｂを含んでいる。最終出射面１４Ａ２ｂは、円柱軸が第１方向に直交する第２方向（図２（ａ）中紙面に直交する方向）に延びる前方に向かって凸の半円柱状の面（シリンドリカル面）として構成されている。
【００５９】
第１レンズ部１４Ａ１の後端部（入射部１４ａ）と前端部（中間出射面１４Ａ１ａ）との間には、光源１２からの光の一部が開口１６ｃを通過する（又は光透過部１６ｄを透過する）形態でシェード１６が挿入されるスリット１４Ａ１ｂが形成されている。スリット１４Ａ１ｂは、第１レンズ部１４Ａ１の一側部から他側部まで延びている（図１参照）。スリット１４Ａ１ｂの一方の端部及び／又は他方の端部は、閉塞されていてもよいし、開放されていてもよい。図１は、スリット１４Ａ１ｂの一方の端部及び他方の端部が開放された例である。
【００６０】
中間出射面１４Ａ１ａ、中間入射面１４Ａ２ａ及び最終出射面１４Ａ２ｂは、後側焦点Ｆ14A4がスリット１４Ａ１ｂに挿入されたシェード１６の開口１６ｃ又は光透過部１６ｄ近傍に位置する投影レンズ１４Ａ４を構成している（図２（ｂ）参照）。
【００６１】
図３に示すように、入射部１４ａ（又は入射部１４ｂ）、シェード１６、中間出射面１４Ａ１ａ、中間入射面１４Ａ２ａ及び最終出射面１４Ａ２ｂは、入射部１４ａ（又は入射部１４ｂ）から第１レンズ部１４Ａ１内部に入射した光源１２からの光のうち開口１６ｃを通過した光又は光透過部１６ｄを透過した光が、中間出射面１４Ａ１ａから第１レンズ部１４Ａ１外部に出射し、さらに、中間入射面１４Ａ２ａから第２レンズ部１４Ａ２内部に入射して最終出射面１４Ａ２ｂから出射し、前方に照射されることにより、開口１６ｃ又は光透過部１６ｄに形成される光度分布の反転像を形成する光学系を構成している。
【００６２】
第１レンズ部１４Ａ１と第２レンズ部１４Ａ２とは、それぞれの上部において、連結部１４Ａ３によって連結されている。
【００６３】
連結部１４Ａ３は、第１レンズ部１４Ａ１と第２レンズ部１４Ａ２とを、中間出射面１４Ａ１ａ、中間入射面１４Ａ２ａ及び連結部１４Ａ３で囲まれ（それ以外が開放され）た空間Ｓが形成された状態で連結している。
【００６４】
空間Ｓは、抜き方向が連結部１４Ａ３とは反対方向（図２（ａ）中、下側の矢印参照）の金型により形成される。この金型をスムーズに抜くため、中間出射面１４Ａ１ａ及び／又は中間入射面１４Ａ２ａには、抜き角（抜き勾配とも称される。２°以上が望ましい）が設定されている。スリット１４Ａ１ｂも同様で、当該スリット１４Ａ１ｂの後側の内壁１４Ａ１ｂ１及び／又は前側の内壁１４Ａ１ｂ２には、抜き角が設定されている。これにより、成形時に上下抜きでの型抜きが可能となり、レンズ体１４（及び後述のレンズ結合体）を、一度の型抜きで（スライドを使用することなく）安価に製造することができる。
【００６５】
このように、中間出射面１４Ａ１ａ及び／又は中間入射面１４Ａ２ａに抜き角が設定されている場合であっても、中間出射面１４Ａ１ａ、中間入射面１４Ａ２ａ及び最終出射面１４Ａ２ｂが、後側焦点Ｆ14A4がスリット１４Ａ１ｂに挿入されたシェード１６の開口１６ｃ又は光透過部１６ｄ近傍に位置する投影レンズ１４Ａ４を構成するように、最終出射面１４Ａ２ｂは、その面形状が調整されている。その結果、最終出射面１４Ａ２ｂは、完全な半円柱状の面（シリンドリカル面）ではなく、概ね半円柱状の面（シリンドリカル面）となる。
【００６６】
なお、レンズ体１４は、図２１に示すように、第１レンズ部１４Ａ１と第２レンズ部１４Ａ２とを物理的に分離した状態で成形し、レンズホルダ等の保持部材４２によって両者を保持することで構成してもよい（つまり、連結部１４Ａ３を省略してもよい）。この場合、抜き角が不要となるため、中間出射面１４Ａ１ａ及び中間入射面１４Ａ２ａを基準軸ＡＸに直交する平面形状の面として構成することができる。その結果、最終出射面１４Ａ２ｂをほぼ完全な半円柱状の面（シリンドリカル面）として構成することができる。
【００６７】
また、スリット１４Ａ１ｂの後側の内壁１４Ａ１ｂ１及び前側の内壁１４Ａ１ｂ２（図２（ａ）参照）も、例えば、当該スリット１４Ａ１ｂを回転ブレード等による切削加工によって形成することで、基準軸ＡＸに直交する平面形状の面として構成することができる。
【００６８】
シェード１６は、アルミ等の金属製、樹脂製（例えば、アクリル等の透明樹脂製）又はガラス製の板状部材で、光源１２からの光の一部が通過する開口１６ｃ又は光源１２からの光の一部が透過する光透過部１６ｄが形成されている。
【００６９】
例えば、シェード１６がアルミ等の金属製又は不透明樹脂製等の光源１２からの光に対して不透明な板状部材である場合、図５（ａ）、図５（ｂ）に示すように、当該シェード１６には、光源１２からの光の一部が通過する１又は複数の開口１６ｃが形成されている。この場合、シェード１６表面での反射（乱反射等）を抑制する観点から、シェード１６（特に、後面１６ａ及び開口１６ｃの内壁）に対して反射防止処理（例えば、黒アルマイト塗装）を施すのが望ましい。
【００７０】
一方、シェード１６がアクリル等の透明樹脂製又はガラス製等の光源１２からの光に対して透明な板状部材である場合、図５（ｃ）に示すように、当該シェード１６には、光源１２からの光の一部が透過する１又は複数の光透過部１６ｄが形成されている。光透過部１６ｄは、例えば、シェード１６の前面１６ｂのうち光透過部１６ｄ以外の領域に対して光不透過処理（例えば、黒色塗装）を施すことで形成することができる。もちろん、これに限らず、光透過部１６ｄの部分に、開口１６ｃを形成してもよい。
【００７１】
開口１６ｃ、光透過部１６ｄは、文字、記号及び／又は図形（例えば、人、動植物、建物、風景等の輪郭を表す図形）等の任意の形状とすることができる。
【００７２】
シェード１６は、図２に示すように、レンズ体１４の上方からスリット１４Ａ１ｂに挿入されてレンズ体１４に対して位置決めされた状態で、すなわち、投影レンズ１４Ａ４の後側焦点Ｆ14A4がその開口１６ｃ又は光透過部１６ｄ（好ましくは、シェード１６の前面１６ｂ側。図２（ｂ）参照）近傍に位置した状態で、当該レンズ体１４に保持されている。
【００７３】
具体的には、シェード１６は、図２（ｂ）に示すように、その先端部がスリット１４Ａ１ｂの底面に当接し、かつ、図６（ｂ）に示すように、その先端部に形成された凹部１６ｅ（図６（ａ）参照）にスリット１４Ａ１ｂの底面に形成された凸部１４Ａ１ｂ３（図６（ａ）参照）が挿入されることで、レンズ体１４に対して位置決めされている。図６（ａ）は図２（ａ）に示す照明装置１０のＡ−Ａ断面図、図６（ｂ）は図２（ｂ）に示す照明装置１０のＢ−Ｂ断面図である。なお、これとは逆に、シェード１６は、その先端部がスリット１４Ａ１ｂの底面に当接し、かつ、その先端部に形成された凸部（図示せず）がスリット１４Ａ１ｂの底面に形成された凹部（図示せず）に挿入されることで、レンズ体１４に対して位置決めされてもよい。
【００７４】
また、図２２に示すように、レンズ体１４に、スリット１４Ａ１ｂの一方の端部を閉塞したストッパ４４を設けることで、シェード１６を位置決めしてもよい。この場合、シェード１６は、図２（ｂ）に示すように、その先端部がスリット１４Ａ１ｂの底面に当接し、かつ、一方の側部がストッパ４４に当接することで、レンズ体１４に対して位置決めされる。なお、図２１は、図２（ａ）に示すレンズ体１４のＡ−Ａ断面図である。ストッパ４４は、レンズ体１４に一体的に形成されていてもよいし、別体で形成してレンズ体１４に固定されていてもよい。
【００７５】
そして、シェード１６は、図２（ｂ）に示すように、当該シェード１６をスリット１４Ａ１ｂに挿入することで弾性変形した板バネ１８（例えば、スリット１４Ａ１ｂの後側の内壁１４Ａ１ｂ１に固定されている）の弾性力によりスリット１４Ａ１ｂの前側の内壁１４Ａ１ｂ２に押しつけられた状態で、レンズ体１４に固定されている。もちろん、これに限らず、他の固定手段で固定されていてもよい。
【００７６】
以上のようにして、シェード１６は、レンズ体１４に対して位置決めされた状態で当該レンズ体１４に固定されている。その結果、投影レンズ１４Ａ４の焦点Ｆ14A4とシェード１６（これに形成された開口１６ｃ又は光透過部１６ｄ）とを予め定められた位置関係に維持することができる。
【００７７】
なお、シェード１６をスリット１４Ａ１ｂから容易に引き出すため、図５（ｄ）に示すように、シェード１６の上部等にリボン等の把持部材２０を取り付けてもよい。
【００７８】
開口１６ｃは、１つであってもよいし、複数であってもよい。図６（ａ）は開口１６ｃとして１つの円形開口を形成した例、図７（ｂ）は開口１６ｃとして円形開口及び放射状に配置された４つの矩形開口を形成した例である。
【００７９】
開口１６ｃ（又は光透過部１６ｄ）には、これを通過（又は透過）する光源１２からの光により、光度分布（光源像）が形成される。この開口１６ｃ（又は光透過部１６ｄ）に形成される光度分布（光源像）は、焦点Ｆ14A4が当該開口１６ｃ（又は光透過部１６ｄ）近傍に位置した投影レンズ１４Ａ４の作用により反転像として床面等に投影される。
【００８０】
開口１６ｃは、図５（ｂ）に示すように、シェード１６の後面１６ａ側と前面１６ｂ側との間で径方向寸法が同じ開口であってもよいが、図５（ａ）に示すように、シェード１６の後面１６ａ側から前面１６ｂ側に向かうに従って径方向寸法が小さくなる開口であるのが望ましい。前者と比べ、後者の方が開口１６ｃを通過する光源１２からの光が増加する（図５（ａ）、図５（ｂ）中の矢印参照）ため、床面等に投影される反転像をより明るくすることができるからである。
【００８１】
レンズ体１４及び光源１２は、上記位置関係を保った状態で、ブラケット等の保持部材（図示せず）により保持されている。
【００８２】
上記構成の照明装置１０においては、図３に示すように、入射部１４ａ（又は入射部１４ｂ）から第１レンズ部１４Ａ１内部に入射した光源１２からの光のうちシェード１６によって一部遮光された光、すなわち、シェード１６に形成された開口１６ｃを通過する光（又は光透過部１６ｄを透過する光）は、中間出射面１４Ａ１ａから第１レンズ部１４Ａ１外部に出射し、さらに、中間入射面１４Ａ２ａから第２レンズ部１４Ａ２内部に入射して最終出射面１４Ａ２ｂから出射し、前方に照射されることにより、シェード１６に形成された開口１６ｃ（又は光透過部１６ｄ）に形成される光度分布（光源像）の反転像を床面等に形成する。
【００８３】
例えば、シェード１６に形成された開口１６ｃが図７（ａ）に示す複数の開口の場合、この複数の開口１６ｃそれぞれに形成される光度分布（光源像）が投影レンズ１４Ａ４の作用により反転像として床面等に投影される。図８は、この投影される反転像を表している。
【００８４】
本実施形態によれば、第１に、所定方向にライン状に延びる一体感のある見栄えのレンズ体１４を備えた照明装置１０を提供することができる。第２に、最終出射面１４Ａ２ｂが半円柱状の面であるにもかかわらず、任意の形状の反転像を、床面等の任意の場所に形成（投影）することができる照明装置１０を提供することができる。
【００８５】
所定方向にライン状に延びる一体感のある見栄えとすることができるのは、最終出射面１４Ａ２ｂが半円柱状の面として構成されていることによるものである。
【００８６】
任意の形状の反転像は、光源１２からの光の一部が通過する開口１６ｃ（又は光源１２からの光の一部が透過する光透過部１６ｄ）を任意の形状とすることで達成される。
【００８７】
床面等の任意の場所への形成（投影）は、光源１２からの光の一部が通過する開口１６ｃ（又は光源１２からの光の一部が透過する光透過部１６ｄ）と投影レンズ１４Ａ４の焦点Ｆ14A4との位置関係を調整することで達成される。
【００８８】
次に、照明装置１０（レンズ体１４）の変形例である照明装置１０Ｂ（レンズ体１４Ｂ）について説明する。
【００８９】
図９は、本変形例の照明装置１０Ｂの縦断面図である。
【００９０】
図９に示すように、本変形例の照明装置１０Ｂにおいては、第１実施形態の照明装置１０と異なり、照明装置１０Ｂ（レンズ体１４Ｂ）の最終出射面１４Ａ２ｂが基準軸ＡＸに直交する平面形状の面として構成されている。
【００９１】
そして、中間出射面１４Ａ１ａ及び中間入射面１４Ａ２ａのうち少なくとも一方は、最終出射面１４Ａ２ｂから出射する光源１２からの光が、コリメートされた光（基準軸ＡＸに対して平行な光）となるように、その面形状が構成されている。それ以外、第１実施形態の照明装置１０と同様の構成である。
【００９２】
最終出射面１４Ａ２ｂから出射する光源１２からの光（正確には、基準点Ｆ14からの光）が、コリメートされた光となる中間出射面１４Ａ１ａ及び／又は中間入射面１２Ａ２ａ（それぞれの面形状等の条件）は、無数に想定されるため、具体的な数値等で表すのは困難である。
【００９３】
しかしながら、例えば、所定のシミュレーションソフトウエアを用いて、第１中間出射面１２Ａ１ａ及び／又は中間入射面１２Ａ２ａの面形状を徐々に変更（調整）し、変更するごとに最終出射面１４Ａ２ｂから出射する光源１２からの光（正確には、基準点Ｆ14からの光の光路を確認することで、最終出射面１２Ａ２ｂから出射する光源１２からの光（正確には、基準点Ｆ14からの光）が、コリメートされた光となる第１中間出射面１４Ａ１ａ及び／又は中間入射面１２Ａ２ａ（それぞれの面形状等の条件）を見出すことができる。
【００９４】
本変形例によれば、第１に、所定方向にライン状に延びる一体感のある見栄えのレンズ体１４Ｂを備えた照明装置１０Ｂを提供することができる。第２に、最終出射面１４Ａ２ｂが平面形状の面であるにもかかわらず、任意の形状の反転像を、床面等の任意の場所に形成（投影）することができる照明装置１０Ｂを提供することができる。
【００９５】
所定方向にライン状に延びる一体感のある見栄えとすることができるのは、最終出射面１４Ａ２ｂが平面形状の面として構成されていることによるものである。
【００９６】
床面等の任意の形状の反転像は、光源１２からの光の一部が通過する開口１６ｃ（又は光源１２からの光の一部が透過する光透過部１６ｄ）を任意の形状とすることで達成される。
【００９７】
床面等の任意の場所への形成（投影）は、光源１２からの光の一部が通過する開口１６ｃ（又は光源１２からの光の一部が透過する光透過部１６ｄ）と投影レンズ１４Ａ４の焦点Ｆ14A4との位置関係を調整することで達成される。
【００９８】
次に、第２実施形態の照明装置について、図面を参照しながら説明する。
【００９９】
図１０は、第２実施形態の照明装置１０Ｃの斜視図である。
【０１００】
本実施形態の照明装置１０Ｃは、第１実施形態の照明装置１０を複数備えている。なお、第１実施形態及と同様の構成については同じ符号を付し、その説明を省略する。
【０１０１】
図１０に示すように、複数の照明装置１０のレンズ体１４は、第２方向（図１０中略左右方向）に一列に隣接配置された状態で一体的に成形されたレンズ結合体２２を構成している。そして、レンズ結合体２２の最終出射面は、複数の照明装置１０のレンズ体１４の最終出射面１４Ａ２ｂが第２方向に一列に隣接配置された状態で連結されて第２方向にライン状に延びた半円柱状の出射面群を構成している。
【０１０２】
レンズ結合体２２は、金型に、ポリカーボネイトやアクリル等の透明樹脂を注入し、冷却、固化させることにより、一体的に成形（射出成形）されている。もちろん、これに限らず、レンズ結合体２２は、物理的に分離した状態で成形された複数の照明装置１０のレンズ体１４を、ブラケット等の保持部材（図示せず）によって保持することで構成されていてもよい。
【０１０３】
複数の照明装置１０のレンズ体１４（スリット１４Ａ１ｂ）は、第２方向に一列に隣接配置された状態で連結されて第２方向に延びる単一のスリット２４を構成している。単一のスリット２４は、レンズ結合体２２の一端側から他端側まで延びている。単一のスリット２４の一方の端部及び／又は他方の端部は、閉塞されていてもよいし、開放されていてもよい。
【０１０４】
また、複数の照明装置１０のシェード１６は、第２方向に一列に隣接配置された状態で連結されて第２方向に延びる単一のシェード２６を構成している。
【０１０５】
単一のシェード２６は、単一のスリット２４に挿入されてレンズ結合体２２に対して位置決めされた状態で、すなわち、各々の照明装置１０の投影レンズ１４Ａ４の後側焦点Ｆ14A4が各々の照明装置１０のシェード１６の開口１６ｃ又は光透過部１６ｄ近傍に位置した状態で、当該レンズ結合体２２に保持されている。なお、図１０においては、レンズ結合体２２、単一のシェード２６及び複数の光源１２（これが実装された基板Ｋ）は、上記位置関係を保った状態で、ブラケット等の保持部材２８により保持されている。
【０１０６】
例えば、図１１に示すように、レンズ結合体２２は、その一部に一体的に形成されたフランジ部１４Ａ５に形成されたネジ穴（図示せず）に挿入されたネジ（図示せず）を保持部材２８にネジ止めすることで、当該保持部材２８に固定されている。同様に、単一のシェード２６は、単一のスリット２４から突出した部分に形成されたネジ穴（図示せず）に挿入されたネジ（図示せず）を、スペーサ４６を介して保持部材２８にネジ止めすることで、当該保持部材２８に固定されている。同様に、複数の光源１２が実装された基板Ｋは、当該基板Ｋに形成されたネジ穴（図示せず）に挿入されたネジ（図示せず）を保持部材２８にネジ止めすることで、当該保持部材２８に固定されている。なお、スペーサ４６は、レンズ体１４に一体的に形成されていてもよいし、別体で形成されていてもよい。
【０１０７】
本実施形態によれば、レンズ結合体２２の最終出射面（複数の照明装置１０の最終出射面１４Ａ２ｂ）が所定方向に延びた半円柱状の面となる結果、所定方向にライン状に延びる一体感のある見栄えのレンズ結合体２２を備えた照明装置１０Ｃを提供することができる。
【０１０８】
また、レンズ結合体２２（複数の照明装置１０の投影レンズ１４Ａ４）の作用により、単一のシェード２６に形成された複数の開口１６ｃ（又は光透過部１６ｄ）それぞれに形成される複数の光度分布（光源像）の反転像を床面等に形成することができる照明装置１０Ｃを提供することができる。例えば、図１２に示すように、複数の反転像Ｉ1-1〜Ｉ1-3がそれぞれ床面上の異なる位置に形成されるように構成された照明装置１０Ｃ1や複数の反転像Ｉ2がそれぞれ床面上の同一の位置に重畳された状態で形成されるように構成された照明装置１０Ｃ2を提供することができる。図１２は、１つの照明装置１０Ｃ1及び２つの照明装置１０Ｃ2を天井に取り付けた例である。
【０１０９】
複数の反転像Ｉ1-1〜Ｉ1-3がそれぞれ床面上の異なる位置に形成されるのは、当該複数の反転像Ｉ1-1〜Ｉ1-3がそれぞれ床面上の異なる位置に形成されるように複数の開口１６ｃ（又は光透過部１６ｄ）が形成された単一のシェード２６を、照明装置１０Ｃ1が備えていることによるものである。
【０１１０】
また、複数の反転像Ｉ2がそれぞれ床面上の同一の位置に重畳された状態で形成されるのは、当該複数の反転像Ｉ2がそれぞれ床面上の同一の位置に重畳された状態で形成されるように複数の開口１６ｃ（又は光透過部１６ｄ）が形成された単一のシェード２６を、照明装置１０Ｃ2が備えていることによるものである。
【０１１１】
レンズ結合体２２がアクリル等の透明樹脂製で、単一のシェード２６がアルミ等の金属製の板状部材である場合、つまり、両者の線膨張係数が異なる（アクリルの線膨張係数7×10-5/℃、アルミの線膨張係数2.3×10-5/℃）場合、雰囲気温度の上昇に従って、レンズ結合体２２がその長手方向に相対的に伸長する。その結果、各々の投影レンズ１４Ａ４の焦点Ｆ14A4と単一のシェード２６（これに形成された開口１６ｃ又は光透過部１６ｄ）とを予め定められた位置関係に維持することができない可能がある。この問題は、図１３に示すように、単一のシェード２６に切り込み線１６ｆ（シェード２６の前面と後面とを貫通している）を形成し、レンズ結合体２２がその長手方向に伸長（又は伸縮）するのに追従して単一のシェード２６もその長手方向に伸長（又は伸縮）できるようにすることで改善される。
【０１１２】
次に、第２実施形態の照明装置１０Ｃ（図１０参照）の変形例である照明装置１０Ｄについて説明する。
【０１１３】
図２３は、第２実施形態の照明装置１０Ｃ（図１０参照）の変形例である照明装置１０Ｄの斜視図である。
【０１１４】
本変形例の照明装置１０Ｄは、第２実施形態の変形例の照明装置１０Ｂ（図９参照）を複数備えている。
【０１１５】
図２３に示すように、複数の照明装置１０Ｂのレンズ体１４Ｂは、第２方向（図２３中略左右方向）に一列に隣接配置された状態で一体的に成形されたレンズ結合体２２Ｄを構成している。そして、レンズ結合体２２Ｄの最終出射面は、複数の照明装置１０Ｂのレンズ体１４Ｂの最終出射面１４Ａ２ｂが第２方向に一列に隣接配置された状態で連結されて第２方向にライン状に延びた平面形状の出射面群を構成している。
【０１１６】
レンズ結合体２２Ｄは、金型に、ポリカーボネイトやアクリル等の透明樹脂を注入し、冷却、固化させることにより、一体的に成形（射出成形）されている。もちろん、これに限らず、レンズ結合体２２Ｄは、物理的に分離した状態で成形された複数の照明装置１０Ｂのレンズ体１４Ｂを、ブラケット等の保持部材（図示せず）によって保持することで構成されていてもよい。それ以外、第２実施形態の照明装置１０Ｃと同様の構成である。
【０１１７】
本変形例によれば、レンズ結合体２２Ｄの最終出射面（複数の照明装置１０Ｂの最終出射面１４Ａ２ｂ）が所定方向に延びた平面形状の面となる結果、所定方向にライン状に延びる一体感のある見栄えのレンズ結合体２２Ｄを備えた照明装置１０Ｄを提供することができる。
【０１１８】
また、レンズ結合体２２Ｄ（複数の照明装置１０Ｂの投影レンズ１４Ａ４）の作用により、単一のシェード２６に形成された複数の開口１６ｃ（又は光透過部１６ｄ）それぞれに形成される複数の光度分布（光源像）の反転像を床面等に形成することができる照明装置１０Ｄを提供することができる。例えば、図１２に示すのと同様に、複数の反転像Ｉ1-1〜Ｉ1-3がそれぞれ床面上の異なる位置に形成されるように構成された照明装置１０Ｄ1や複数の反転像Ｉ2がそれぞれ床面上の同一の位置に重畳された状態で形成されるように構成された照明装置１０Ｄ2を提供することができる。
【０１１９】
次に、第３実施形態の照明装置について、図面を参照しながら説明する。
【０１２０】
図１４は第３実施形態の照明装置１０Ｅの斜視図（概略図）、図１５（ａ）は側面図（概略図）、図１５（ｂ）は上面図（概略図）である。
【０１２１】
図１４、図１５に示すように、本実施形態の照明装置１０Ｅは、光源１２、光源１２の前方に配置されたシェード１６、シェード１６の前方に配置されたレンズ体３０等を備えている。なお、第１実施形態及び第２実施形態と同様の構成については同じ符号を付し、その説明を省略する。
【０１２２】
レンズ体３０は、シェード１６の前方に配置された第１レンズ部３０Ａ１、第１レンズ部３０Ａ１の前方に配置された第２レンズ部３０Ａ２を含んでいる。
【０１２３】
各々のレンズ部３０Ａ１、３０Ａ２（後述する第３レンズ部３２も同様）は、金型に、ポリカーボネイトやアクリル等の透明樹脂を注入し、冷却、固化させることにより（射出成形により）一体的に成形されている。もちろん、これに限らず、各々のレンズ部３０Ａ１、３０Ａ２（後述する第３レンズ部３２も同様）は、ガラス製であってもよい。
【０１２４】
第１レンズ部３０Ａ１は、基準軸ＡＸに直交する平面形状の後側表面３０Ａ１ａ（入射面）及び円柱軸が第１方向（例えば、図１４中上下方向）に延びた半円柱状の前側表面３０Ａ１ｂ（出射面）を含むシリンドリカルレンズとして構成されている。
【０１２５】
第２レンズ部３０Ａ２は、基準軸ＡＸに直交する平面形状の後側表面３０Ａ２ａ（入射面）及び円柱軸が第１方向に直交する第２方向（例えば、図１４中略左右方向）に延びた半円柱状の前側表面３０Ａ２ｂ（出射面）を含むシリンドリカルレンズとして構成されている。
【０１２６】
第１レンズ部３０Ａ１及び第２レンズ部３０Ａ２は、後側焦点Ｆ30がシェード１６の開口１６ｃ又は光透過部１６ｄ近傍に位置する投影レンズ３０を構成している。
【０１２７】
光源１２からの光は、当該光源１２の前方に配置された第３レンズ部３２によって投影レンズ３０の後側焦点Ｆ30近傍（シェード１６に形成された開口１６ｃ又は光透過部１６ｄ近傍）に集光する。すなわち、第３レンズ部３２は、当該第３レンズ部３２を透過して前方に照射される光源１２からの光を、投影レンズ３０の後側焦点Ｆ30近傍（シェード１６に形成された開口１６ｃ又は光透過部１６ｄ近傍）に集光するレンズ部として構成されている。もちろん、これに限らず、第３レンズ部３２は、図１６に示すように、当該第３レンズ部３２を透過して前方に照射される光源１２からの光を、コリメートするレンズ部として構成されていてもよい。
【０１２８】
また、第３レンズ部３２に代えて、図４に示す入射部１４ｂ（第１入射面１４ｂ１及び第２入射面１４ｂ２）及び反射面１４ｂ３を含むレンズ部を用いてもよい。
【０１２９】
また、第３レンズ部３２に代えて、図１７に示すように、光源１２からの光を反射して投影レンズ３０の後側焦点Ｆ30近傍（シェード１６に形成された開口１６ｃ又は光透過部１６ｄ近傍）に集光させる反射面４０（例えば、楕円形状又はこれに類する自由曲面等）を用いてもよい。もちろん、これに限らず、光源１２からの光を反射してコリメートする反射面（例えば、放物面形状又はこれに類する自由曲面等）を用いてもよい。
【０１３０】
光源１２、シェード１６、第１レンズ部３０Ａ１、第２レンズ部３０Ａ２及び第３レンズ部３２は、上記位置関係を保った状態で、ブラケット等の保持部材（図示せず）により保持されている。
【０１３１】
なお、図２４に示すように、第３レンズ部３２を省略し、光源１２をシェード１６の後方近傍に配置してもよい。
【０１３２】
上記構成の照明装置１０Ｅにおいては、第３レンズ部３２を透過した光源１２からの光のうちシェード１６によって一部遮光された光、すなわち、シェード１６に形成された開口１６ｃを通過する光（又は光透過部１６ｄを透過する光）は、第１レンズ部３０Ａ１及び第２レンズ部３０Ａ２をこの順に透過し、前方に照射されることにより、シェード１６に形成された開口１６ｃ（又は光透過部１６ｄ）に形成される光度分布（光源像）の反転像を床面等に形成する。
【０１３３】
例えば、シェード１６に形成された開口１６ｃが図７（ｂ）に示す複数の開口の場合、この複数の開口１６ｃそれぞれに形成される光度分布（光源像）が投影レンズ３０の作用により反転像として床面等に投影される。
【０１３４】
また例えば、シェード１６に形成された開口１６ｃが図１４に示す三角形の開口の場合、この三角形の開口１６ｃに形成される光度分布（光源像）が投影レンズ３０の作用により反転像として床面等に投影される。
【０１３５】
本実施形態によれば、第１に、所定方向にライン状に延びる一体感のある見栄えのレンズ体３０を備えた照明装置１０Ｅを提供することができる。第２に、最終出射面３０Ａ２ｂが半円柱状の面であるにもかかわらず、任意の形状の反転像を、床面等の任意の場所に形成（投影）することができる照明装置１０Ｅを提供することができる。
【０１３６】
所定方向にライン状に延びる一体感のある見栄えとすることができるのは、最終出射面３０Ａ２ｂが半円柱状の面として構成されていることによるものである。
【０１３７】
任意の形状の反転像は、光源１２からの光の一部が通過する開口１６ｃ（又は光源１２からの光の一部が透過する光透過部１６ｄ）を任意の形状とすることで達成される。
【０１３８】
床面等の任意の場所への形成（投影）は、光源１２からの光の一部が通過する開口１６ｃ（又は光源１２からの光の一部が透過する光透過部１６ｄ）と投影レンズ３０の焦点Ｆ30との位置関係を調整することで達成される。
【０１３９】
次に、第３実施形態の照明装置１０Ｅの変形例である照明装置１０Ｆについて説明する。
【０１４０】
図１８は、第３実施形態の照明装置１０Ｅの変形例である照明装置１０Ｆの斜視図である。なお、図１８中、シェード１６は省略されている。
【０１４１】
図１８に示すように、本変形例の照明装置１０Ｆにおいては、上記実施形態の照明装置１０Ｅと異なり、照明装置１０Ｆ（第２レンズ部３０Ａ２）の最終出射面３０Ａ２ｂが基準軸ＡＸに直交する平面形状の面として構成されている。
【０１４２】
そして、第１中間出射面３０Ａ１ｂ及び中間入射面３０Ａ２ａのうち少なくとも一方は、最終出射面３０Ａ２ｂから出射する光源１２からの光が、コリメートされた光（基準軸ＡＸに対して平行な光）となるように、その面形状が構成されている。それ以外、第３実施形態の照明装置１０Ｅと同様の構成である。
【０１４３】
最終出射面３０Ａ２ｂから出射する光源１２からの光（正確には、基準点Ｆ32からの光）が、コリメートされた光となる中間出射面３０Ａ１ｂ及び／又は中間入射面３０Ａ２ａ（それぞれの面形状等の条件）は、無数に想定されるため、具体的な数値等で表すのは困難である。
【０１４４】
しかしながら、例えば、所定のシミュレーションソフトウエアを用いて、中間出射面３０Ａ１ｂ及び／又は中間入射面３０Ａ２ａの面形状を徐々に変更（調整）し、変更するごとに最終出射面３０Ａ２ｂから出射する光源１２からの光（正確には、基準点Ｆ32からの光の光路を確認することで、最終出射面３０Ａ２ｂから出射する光源１２からの光（正確には、基準点Ｆ32からの光）が、コリメートされた光となる第１中間出射面３０Ａ１ｂ及び／又は中間入射面３０Ａ２ａ（それぞれの面形状等の条件）を見出すことができる。
【０１４５】
本変形例によれば、第１に、所定方向にライン状に延びる一体感のある見栄えのレンズ体３０を備えた照明装置１０Ｆを提供することができる。第２に、最終出射面３０Ａ２ｂが平面形状の面であるにもかかわらず、任意の形状の反転像を、床面等の任意の場所に形成（投影）することができる照明装置１０Ｆを提供することができる。
【０１４６】
所定方向にライン状に延びる一体感のある見栄えとすることができるのは、最終出射面３０Ａ２ｂが平面形状の面として構成されていることによるものである。
【０１４７】
床面等の任意の形状の反転像は、光源１２からの光の一部が通過する開口１６ｃ（又は光源１２からの光の一部が透過する光透過部１６ｄ）を任意の形状とすることで達成される。
【０１４８】
床面等の任意の場所への形成（投影）は、光源１２からの光の一部が通過する開口１６ｃ（又は光源１２からの光の一部が透過する光透過部１６ｄ）と投影レンズ３０の焦点Ｆ30との位置関係を調整することで達成される。
【０１４９】
次に、第４実施形態の照明装置について、図面を参照しながら説明する。
【０１５０】
図１９は、第４実施形態の照明装置１０Ｇの斜視図（概略図）である。
【０１５１】
本実施形態の照明装置１０Ｇは、第３実施形態の照明装置１０Ｅを複数備えている。なお、第１実施形態、第２実施形態及び第３実施形態と同様の構成については同じ符号を付し、その説明を省略する。
【０１５２】
図１９に示すように、複数の照明装置１０Ｅの第１レンズ部３０Ａ１は、第２方向（図１９中略左右方向）に一列に隣接配置された状態で一体的に成形された第１レンズ結合体３４を構成している。同様に、複数の照明装置１０Ｅの第２レンズ部３０Ａ２は、第２方向に一列に隣接配置された状態で一体的に成形された第２レンズ結合体３６を構成している。そして、第２レンズ結合体３６の最終出射面は、複数の照明装置１０Ｅの第２レンズ部３０Ａ２の最終出射面３０Ａ２ｂが第２方向に一列に隣接配置された状態で連結されて第２方向にライン状に延びた半円柱状の出射面群を構成している。
【０１５３】
各々のレンズ結合体３４、３６は、金型に、ポリカーボネイトやアクリル等の透明樹脂を注入し、冷却、固化させることにより、一体的に成形（射出成形）されている。もちろん、これに限らず、各々のレンズ結合体３４、３６は、物理的に分離した状態で成形された複数の照明装置１０Ｅの第１及び第２レンズ部３０Ａ１、３０Ａ２を、ブラケット等の保持部材（図示せず）によって保持することで構成されていてもよい。
【０１５４】
複数の照明装置１０Ｅのシェード１６は、第２方向に一列に隣接配置された状態で連結されて第２方向に延びる単一のシェード３８を構成している。
【０１５５】
第１及び第２レンズ結合体３４、３６、単一のシェード３８及び複数の光源１２（これが実装された基板Ｋ）は、上記位置関係を保った状態で、ブラケット等の保持部材（図示せず）により保持されている。
【０１５６】
本実施形態によれば、第２レンズ結合体３６の最終出射面（複数の照明装置１０Ｅの最終出射面３０Ａ２ｂ）が所定方向に延びた半円柱状の面となる結果、所定方向にライン状に延びる一体感のある見栄えの第２レンズ結合体３６を備えた照明装置１０Ｇを提供することができる。
【０１５７】
また、第１及び第２レンズ結合体３４、３６（複数の照明装置１０Ｅの投影レンズ３０）の作用により、単一のシェード３８に形成された複数の開口１６ｃ（又は光透過部１６ｄ）それぞれに形成される複数の光度分布（光源像）の反転像を床面等に形成することができる照明装置１０Ｇを提供することができる。例えば、図１９に示すように、単一のシェード３８に形成された複数の開口１６ｃ１〜１６ｃ４それぞれに形成される複数の光度分布（光源像）の反転像16c1〜Ｉ16c4がそれぞれ壁面上の異なる位置に形成されるように構成された照明装置１０Ｇを提供することができる。
【０１５８】
次に、照明装置１０Ｇの変形例である照明装置１０Ｈについて説明する。
【０１５９】
本変形例の照明装置１０Ｈ（図示せず）は、第３実施形態の変形例の照明装置１０Ｆ（図１８参照）を複数備えている。
【０１６０】
複数の照明装置１０Ｆの第１レンズ部３０Ａ１は、所定方向に一列に隣接配置された状態で一体的に成形された第１レンズ結合体３４Ｈ（図示せず）を構成している。同様に、複数の照明装置１０Ｆの第２レンズ部３０Ａ２は、所定方向に一列に隣接配置された状態で一体的に成形された第２レンズ結合体３６Ｈ（図示せず）を構成している。そして、第２レンズ結合体３６Ｈの最終出射面は、複数の照明装置１０Ｆの第２レンズ部３０Ａ２の最終出射面３０Ａ２ｂが所定方向に一列に隣接配置された状態で連結されて所定方向にライン状に延びた平面形状の出射面群を構成している。
【０１６１】
各々のレンズ結合体３４Ｈ、３６Ｈは、金型に、ポリカーボネイトやアクリル等の透明樹脂を注入し、冷却、固化させることにより、一体的に成形（射出成形）されている。もちろん、これに限らず、各々のレンズ結合体３４Ｈ、３６Ｈは、物理的に分離した状態で成形された複数の照明装置１０Ｆの第１及び第２レンズ部３０Ａ１、３０Ａ２を、ブラケット等の保持部材（図示せず）によって保持することで構成されていてもよい。それ以外、上記第４実施形態の照明装置１０Ｇと同様の構成である。
【０１６２】
本変形例によれば、第２レンズ結合体３６Ｈの最終出射面（複数の照明装置１０Ｆの最終出射面３０Ａ２ｂ）が所定方向に延びた平面形状の面となる結果、所定方向にライン状に延びる一体感のある見栄えの第２レンズ結合体３６Ｈを備えた照明装置１０Ｈを提供することができる。
【０１６３】
また、第１及び第２レンズ結合体３４、３６（複数の照明装置１０Ｆの投影レンズ３０）の作用により、単一のシェード３８に形成された複数の開口１６ｃ（又は光透過部１６ｄ）それぞれに形成される複数の光度分布（光源像）の反転像を床面等に形成することができる照明装置１０Ｈを提供することができる。
【０１６４】
なお、シェード１６（又は単一のシェード２６）等に代えて、液晶パネルや有機ＥＬパネル等の画像表示装置を用いることもできる。この画像表示装置は、シェード１６と同様、レンズ体１４の上方からスリット１４Ａ１ｂに挿入されてレンズ体１４に対して位置決めされた状態で、すなわち、投影レンズ１４Ａ４の後側焦点Ｆ14A4が表示面近傍に位置した状態で、当該レンズ体１４に保持される。このようにすれば、各パネル（表示面）に表示される画像、例えば、所定時間間隔で切り替え表示される図２０に示す２枚の画像の反転像を、床面等に形成することができる。
【０１６５】
なお、有機ＥＬパネル等の自発光型の画像表示装置を用いる場合、光源１２や入射部１４ａ等を省略することができる。
【０１６６】
上記実施形態及び各変形例で示した各数値は全て例示であり、これと異なる適宜の数値を用いることができる。
【０１６７】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１６８】
１０〜１０Ｈ…照明装置、１２…光源、１２Ａ１ａ…中間出射面、１２Ａ２ａ…中間入射面値、１２Ａ２ｂ…最終出射面、１４…レンズ体、１４Ａ１…第１レンズ部、１４Ａ１ａ…中間出射面、１４Ａ１ｂ…スリット、１４Ａ２…第２レンズ部、１４Ａ２ｂ…最終出射面、１４Ａ２ａ…中間入射面、１４Ａ２ｂ…最終出射面、１４Ａ３…連結部、１４Ａ４…投影レンズ、１４Ａ５…フランジ部、１４Ｂ…レンズ体、１４ａ…入射部、１６…光源、３０Ａ１…第１レンズ部、３０Ａ２…第２レンズ部
【図１】
2016054126.tif 000003
【図２】
2016054126.tif 000004
【図３】
2016054126.tif 000005
【図４】
2016054126.tif 000006
【図５】
2016054126.tif 000007
【図６】
2016054126.tif 000008
【図７】
2016054126.tif 000009
【図８】
2016054126.tif 000010
【図９】
2016054126.tif 000011
【図１０】
2016054126.tif 000012
【図１１】
2016054126.tif 000013
【図１２】
2016054126.tif 000014
【図１３】
2016054126.tif 000015
【図１４】
2016054126.tif 000016
【図１５】
2016054126.tif 000017
【図１６】
2016054126.tif 000018
【図１７】
2016054126.tif 000019
【図１８】
2016054126.tif 000020
【図１９】
2016054126.tif 000021
【図２０】
2016054126.tif 000022
【図２１】
2016054126.tif 000023
【図２２】
2016054126.tif 000024
【図２３】
2016054126.tif 000025
【図２４】
2016054126.tif 000026
【図２５】
2016054126.tif 000027
【図２６】
2016054126.tif 000028